(57)【特許請求の範囲】
【請求項１】
貯蔵物が収容される貯蔵室と、該貯蔵室内を冷却する冷却手段とを備え、貯蔵物を低温で貯蔵する低温貯蔵庫において、
前記貯蔵室の内壁に複数箇所上下方向に延びるリブを設け、該リブの所定高さ部分に棚部材を取り付ける切欠部を形成し、該切欠部の下側切り口に、前記棚部材を支持するフックを備え、前記棚部材の両端に前記フックと係合する係止孔を備え、棚部材の両端を切欠部に挿入して、棚部材の係止孔にフックを差し込み棚部材を庫内に取り付けることを特徴とする低温貯蔵庫。
【発明の詳細な説明】
【０００１】
【産業上の利用分野】
本発明は、比較的少量の米、麦などの穀物及び野菜等を貯蔵するための小型の低温貯蔵庫に関するものである。
【０００２】
【従来の技術】
従来から、高温多湿期における貯蔵米等の食味の低下を防ぐために、庫内の温度あるいは湿度を年間を通して適度に保つ低温貯蔵庫が使用されている。このような低温貯蔵庫では、例えば米を３０ｋｇ毎の袋で貯蔵する場合、数列に分けて下から上へ順に米袋を積み上げていくため、庫内の壁面に米袋が接触し冷気の循環が妨げられるという問題があった。また、貯蔵された米袋の数が減少してくると、その空きスペースを利用して、例えば野菜等を貯蔵することが考えられるが、米袋の上にそのまま野菜等を置くことは利便上好ましくない。
【０００３】
【発明が解決しようとする課題】
本発明が解決すべき課題は、簡単な構成で、庫内の冷気の循環がよく、かつ、安全な棚を備えた低温貯蔵庫を提供することにある。
【０００４】
このような課題を解決するために本発明は、貯蔵室の内壁に複数箇所上下方向に延びるリブを設け、該リブの所定高さ部分に棚部材を取り付ける切欠部を形成し、該切欠部の下側切り口に、前記棚部材を支持するフックを備え、前記棚部材の両端に前記フックと係合する係止孔を備え、棚部材の両端を切欠部に挿入して、棚部材の係止孔にフックを差し込み棚部材を庫内に取り付けるようにしたものである。
【０００５】
【作用】
本発明によれば、貯蔵室の内壁に複数箇所上下方向に延びるリブを設けたことにより、米袋が貯蔵室内壁に接触することなく、米袋との隙間が確保されて貯蔵室内での冷気の循環がスムーズに行われる。また、このリブの所定高さ部分に形成した切欠部に貯蔵室内を上下に仕切る棚部材が取り付けられるので、米袋の数が減少した場合に棚部材を取り付けることで別の貯蔵物を一緒に貯蔵することができるようになる。そして、棚部材はリブの切欠部に備えたフックに係止され、重量物を安定して載置することができる。フックは、リブの下側切り口に形成されるので、貯蔵室への突出がなく、米袋を引っ掛けて破損させることがない。更に、棚部材の部分に隙間ができるので水平方向へ冷気が流れやすくなる。
【０００６】
【実施例】
以下、図面を基に、本発明の一実施例について説明する。図１は本発明の一実施例の低温貯蔵庫の正面図であり、図２は前面扉を開いた状態の正面図を表している。低温貯蔵庫１は、前面が開口された直方体の貯蔵室２と、前記開口を開閉する２枚の扉３と貯蔵室２上部に備えられる冷却機４から成っている。５は把手、６はコントロールパネルである。
【０００７】
扉３は、貯蔵室２前面開口部の左右端をそれぞれ縦軸として回動自在に取り付けられ、扉３前面に取り付けられる把手５により開閉可能となっている。また、扉３裏面全周縁には、扉３と本体部２との隙間を埋めて庫内を密閉するためのパッキン７が取り付けられている。
【０００８】
貯蔵室２の内部には、図２に示すように、上下方向に延びるリブ８が複数箇所設けられており、このリブ８により貯蔵室２の壁面の補強が図られるとともに、壁面と米袋等の貯蔵物との隙間が確保され、冷却機４からの冷気が壁面に沿って下方へ流れやすくなる。このリブ８のうち、内側壁に設けられたリブ８ａは、棚部材９を支持するために一定の高さ位置に切欠部１０を形成している。この切欠部１０は、棚の段数によって適宜増設可能である。尚、リブ８は米袋等を破損させることがないよう比較的軟質のプラスチックで構成することが望ましい。
【０００９】
図３は本発明一実施例の低温貯蔵庫における棚支持部分の説明図、図４は棚部材９の構成及び切欠部１０への取付を示す説明図である。
前記リブ８ａは、中空でクッション性を持っており、この中空内に棚部材９を支持するためのフック１１が取り付けられる。フック１１は、図３に示すように、縦断面形状がクランク型をなし、切欠部１０の下側切り口から上方へ上半部のみが突出するように、下半部において貯蔵室２内壁面に固定されている。棚部材９は、図４に示すように、左右一対の縦断面Ｌ字型のフレーム１２と、該フレーム１２間に渡されて両端を固定される庫内の幅より若干短い長さ寸法を有する丸パイプ１３複数本により構成され、Ｌ字型フレーム１２の水平部１２ａには前記フック１１に係合するための係止孔１４がフック１１と対応する位置に設けられている。
【００１０】
次に、棚部材９の取付について説明する。まず、棚部材９両端部のフレーム１２をリブ８ａの切欠部１０に挿入し、続いてフレーム１２の係止孔１４がフック１１に係合する位置で棚部材９を下方へ下ろす。こうして、係止孔１４にフック１１の上半部が差し込まれ棚部材９は容易に貯蔵室２内に固定されることになる。
【００１１】
図５は本発明一実施例の低温貯蔵庫の一使用例を示す説明図である。
貯蔵室２内は、棚部材９で上下に仕切られ、下方に３０ｋｇ毎の袋入り米穀１５が、図５に示すように、何列かに分けて積み上げられ貯蔵される。棚部材９の上には、同様に袋入り米穀を収納しても良いが、野菜やビール等米穀以外のものを収納することも可能である。貯蔵室の内周壁にはリブ８が、底面にはスノコ１６が設けられているので、貯蔵室の端から端まで米袋を収納しても、米袋は壁面に密着しないので、冷気の流れを遮ることなく貯蔵される。また、貯蔵室内が棚部材９により分割されることで、水平方向の冷気の流れが良くなる。棚部材９は、複数の丸パイプ１３からなり、米袋等の重量物を棚上へ滑らせるように載せることができ、丸パイプ１３で引っかかることも少ないので米袋を破く等の危険もない。
【００１２】
一般に、米穀の場合、害虫やカビの被害及び水分の蒸発を防ぐために温度１５℃、湿度７１％の条件で貯蔵する方法が採られるが、本発明の一実施例の低温貯蔵庫は、貯蔵室２と扉３を断熱体により構成し、冷却機４によって貯蔵室２内部の空気を冷却し、年間を通して被貯蔵物を保存するのに最適な温度を保つ。例えば、夏期など外気温が１６℃以上となる時期に常に１５℃以下に保冷するようにする。また、庫内の湿度を常に最適なものとするために湿度制御手段を設けても良い。
【００１３】
【発明の効果】
本発明の低温貯蔵庫は以上のように構成されるので、リブによって米袋が貯蔵室の内壁面に接触することがなくなり、冷気の循環が確保される。また、貯蔵室に棚部材を取り付けるようにしたので、米袋の数が減少した場合に別の貯蔵物を一緒に貯蔵することで貯蔵室を有効利用することができる。そして、リブに形成した切欠部に棚部材を取り付けることにより、貯蔵室の幅いっぱいに棚部材を設けることが可能となるとともに、ガタつきがなくなり、重量物を載置した場合でも安定したものとなる。
【００１４】
また、リブ内にフックを設けたので、フックの突出部がカバーされ、米袋等を引っかけて破損する恐れがない。更に、貯蔵室内周壁のリブと棚部材とにより垂直方向はもちろん水平方向へも冷気の流れがよくなり、米穀あるいは野菜といった被貯蔵物の食味の低下を防ぐことができる。
【図面の簡単な説明】
【図１】本発明一実施例の低温貯蔵庫の正面図である。
【図２】本発明一実施例の低温貯蔵庫の前面扉を開いた状態の正面図である。
【図３】本発明一実施例の低温貯蔵庫の棚取付部分の左右方向の縦断面図である。
【図４】本発明一実施例の棚部材の取付を説明する説明図である。
【図５】本発明一実施例の低温貯蔵庫の一使用例を示す図である。
【符号の説明】
１  低温貯蔵庫
２  貯蔵室
３  扉
４  冷却機
５  把手
６  コントロールパネル
７  パッキン
８，８ａ  リブ
９  棚部材
１０  切欠部
１１  フック
１２  フレーム
１２ａ  フレーム水平部
１３  丸パイプ
１４  係止孔
１５  ３０ｋｇ毎の袋入り米穀
１６  スノコ
【図１】
0003653368.tif 000002
【図２】
0003653368.tif 000003
【図３】
0003653368.tif 000004
【図４】
0003653368.tif 000005
【図５】
0003653368.tif 000006